(57)【要約】【課題】ヒータ回路専用の電流検出回路を設けることなく、ヒータ回路の短絡故障を検知する空気調和機を提供する。【解決手段】冷媒を圧縮する圧縮機１と圧縮機を駆動する圧縮機駆動回路２と、通電により発熱するヒータ３とヒータを駆動するヒータ駆動回路４と、交流電源６から供給され圧縮機駆動回路に流れる電流とヒータ駆動回路に流れる電流の総和を検出する電流検出回路７と、電流信号を検出する機能及び圧縮機駆動回路をオン／オフする機能及びヒータ駆動回路をオン／オフする機能を有するマイクロコンピュータ８からなり、圧縮機駆動回路がオフ状態で、ヒータ駆動回路をオンする前の電流信号とオンした後の電流信号を検出し、オンする前の電流信号があらかじめ設定された値以上であり、オンする前の電流信号とオンした後の電流信号の差があらかじめ設定された値未満であれば、前記ヒータもしくはヒータ駆動回路の短絡故障と検知することが可能となる。【選択図】図１
2007032856.tif 000002
【特許請求の範囲】
【請求項１】
冷媒を圧縮する圧縮機と、前記圧縮機を駆動する圧縮機駆動回路と、通電により発熱するヒータと、前記ヒータを駆動するヒータ駆動回路と（以降、ヒータとヒータ駆動回路を合わせてヒータ回路と呼ぶ）、交流電源と、前記交流電源から供給され、前記圧縮機駆動回路に流れる電流と前記ヒータ駆動回路に流れる電流の総和を検出し前記交流電源からの電流を制御するために利用される電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、圧縮機駆動回路がオフ状態において、前記ヒータ駆動回路をオンする前の電流信号とオンした後の電流信号を検出し、前記ヒータ駆動回路をオンする前の電流信号が、前記マイクロコンピュータにあらかじめ設定された第１の値以上であり、かつ前記ヒータ駆動回路をオンする前の電流信号とオンした後の電流信号の差を比較し、その差が前記マイクロコンピュータにあらかじめ設定された第２の値未満であれば、前記ヒータの短絡故障もしくは前記ヒータ駆動回路の短絡故障と検知するヒータ回路短絡故障検知機能を備えたことを特徴とする空気調和機。
【発明の詳細な説明】
【技術分野】
【０００１】
本発明は、ヒータ回路の短絡故障検知機能を有する空気調和機に関するものである。
【背景技術】
【０００２】
従来、この種のヒータ回路の短絡故障検知機能を有する空気調和機では、ヒータに流れる電流のみを検出して、ヒータ回路の短絡故障検知を実現している（例えば、特許文献１参照）。
【０００３】
図３は、特許文献１に記載された従来のヒータ回路の短絡検知機能を有する空気調和機を示すものである。図３に示すように、マグネットリレー９と、トライアック１０と、電流トランス１１と、補助ヒータ１２と、マグネットリレー制御回路部１３と、トライアック制御回路部１４と、電流トランス制御回路部１５と、補助ヒータ制御回路部１６から構成されている。
【特許文献１】特開平７−１６７４７４号公報
【発明の開示】
【発明が解決しようとする課題】
【０００４】
しかしながら、前記従来の構成では、ヒータ回路に流れる電流を検出するために、専用の電流トランスが必要となり、コストアップにつながるという課題を有していた。
【０００５】
本発明は、前記従来の課題を解決するもので、圧縮機駆動回路に流れる電流と、ヒータ回路に流れる電流の総和を検出する電流検出回路１つにて、ヒータ回路専用の電流検出回路を設けることなく、ヒータ及びヒータ駆動回路の短絡検知を可能とする空気調和機を提供することを目的とする。
【課題を解決するための手段】
【０００６】
前記従来の課題を解決するために、本発明の空気調和機は、冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給され、前記圧縮機駆動回路に流れる電流と前記ヒータ駆動回路に流れる電流の総和を検出し前記交流電源からの電流を制御するために利用される電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、圧縮機駆動回路がオフ状態において、前記ヒータ駆動回路をオンする前の電流信号とオンした後の電流信号を検出し、前記ヒータ駆動回路をオンする前の電流信号が、前記マイクロコンピュータにあらかじめ設定された第１の値以上であり、かつ前記ヒータ駆動回路をオンする前の電流信号とオンした後の電流信号の差を比較し、その差が前記マイクロコンピュータにあらかじめ設定された第２の値未満であれば、前記ヒータの短絡故障もしくは前記ヒータ駆動回路の短絡故障と検知することを可能としたものである。
【０００７】
これによって、１つの電流検出回路を用いるだけで、圧縮機駆動回路がオフした状態で、ヒータ駆動回路をオンした後、数秒以内でヒータ回路の短絡故障検知が可能となる。
【発明の効果】
【０００８】
本発明の空気調和機は、ヒータ駆動回路をオンする前の電流信号と、オンする前の電流信号とオンした後の電流信号の電流差とを、あらかじめマイクロコンピュータ内部に設定された値と比較することで、ヒータ回路専用の電流検出回路を設けることなく、ヒータ回路
の短絡故障を検知することができる。
【発明を実施するための最良の形態】
【０００９】
第１の発明は、冷媒を圧縮する圧縮機と、前記圧縮機を駆動する圧縮機駆動回路と、通電により発熱するヒータと、前記ヒータを駆動するヒータ駆動回路と、交流電源と、前記交流電源から供給され、前記圧縮機駆動回路に流れる電流と前記ヒータ駆動回路に流れる電流の総和を検出し前記交流電源からの電流を制御するために利用される電流検出回路と、前記電流検出回路の出力である電流信号を検出する機能及び前記圧縮機駆動回路をオン／オフする機能及び前記ヒータ駆動回路をオン／オフする機能を有するマイクロコンピュータからなり、圧縮機駆動回路がオフ状態において、前記ヒータ駆動回路をオンする前の電流信号とオンした後の電流信号を検出し、前記ヒータ駆動回路をオンする前の電流信号が、前記マイクロコンピュータにあらかじめ設定された第１の値以上であり、かつ前記ヒータ駆動回路をオンする前の電流信号とオンした後の電流信号の差を比較し、その差が前記マイクロコンピュータにあらかじめ設定された第２の値未満であれば、前記ヒータの短絡故障もしくは前記ヒータ駆動回路の短絡故障と検知するヒータ回路短絡故障検知機能を備えたことを特徴とする空気調和機とすることにより、ヒータ回路専用の電流検出回路を設けることなく、ヒータ回路の短絡故障を検知することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気調和機のブロック図を示すものである。１は冷媒を圧縮する圧縮機、２は圧縮機１を駆動する圧縮機駆動回路、３は通電により発熱するヒータ、４はヒータ３を駆動するヒータ駆動回路、５はヒータとヒータ駆動回路を合わせたヒータ回路、６は交流電源、７は交流電源から供給される電流を検出する電流検出回路、８は電流検出回路の出力である電流信号を検出する機能及び前記圧縮機駆動回路をオン／オフする機能及び前記ヒータ駆動回路をオン／オフする機能を有するマイクロコンピュータである。
【００１２】
図２は、本発明の第１の実施の形態における空気調和機の動作シーケンスを説明するシーケンス図である。図２において、圧縮機駆動回路２がオフしている状態において、ヒータ駆動回路４がオンするｍ秒前の電流信号Ｉｍとヒータ駆動回路４がオンしたｎ秒後の電流信号Ｉｎを検出する。
【００１３】
Ｉｍが、あらかじめマイクロコンピュータ８内部に設定された第１の値未満であり、△Ｉ＝Ｉｎ−Ｉｍが、あらかじめマイクロコンピュータ８内部に設定された第２の値以上であれば、正常動作と判定し、Ｉｍが、あらかじめマイクロコンピュータ８内部に設定された第１の値以上であり、△Ｉ＝Ｉｎ−Ｉｍが、あらかじめマイクロコンピュータ８内部に設定された第２の値未満であれば、ヒータ回路５が短絡故障しているものと検知することができる。
【産業上の利用可能性】
【００１４】
以上のように、本発明にかかる空気調和機は、ヒータ駆動回路をオンする前の電流信号と、オンする前の電流信号とオンした後の電流信号の電流差とを、あらかじめマイクロコンピュータ内部に設定された値と比較することで、ヒータ回路専用の電流検出回路を設けることなく、ヒータ回路の短絡故障を検知することが可能となるので、ヒータ搭載のヒートポンプ式給湯機等の用途にも適用できる。
【図面の簡単な説明】
【００１５】
【図１】本発明の実施の形態１における空気調和機のブロック図
【図２】本発明の実施の形態１における空気調和機の動作シーケンス図
【図３】従来のヒータ断線機能を有する空気調和機のブロック図
【符号の説明】
【００１６】
１  圧縮機
２  圧縮機駆動回路
３  ヒータ
４  ヒータ駆動回路
５  ヒータ回路
６  交流電源
７  電流検出回路
８  マイクロコンピュータ
９  マグネットリレー
１０  トライアック
１１  電流トランス
１２  補助ヒータ
１３  マグネットリレー制御回路部
１４  トライアック制御回路部
１５  電流トランス制御回路部
１６  補助ヒータ制御回路部
【図１】
2007032856.tif 000003
【図２】
2007032856.tif 000004
【図３】
2007032856.tif 000005